(57)【要約】【課題】電気的性能の低下を抑制することができるコネクタを提供する。【解決手段】コネクタ１は、第１被係止部５２Ｌが形成されている基板５０に取り付けられるものであって、基板５０に嵌合するハウジング１０と、第１係止部２１と、第１操作部２２と、第１突出部３０Ｌとを備える。第１係止部２１は、ハウジング１０の第１の面１０−１の面上に設けられ、第１被係止部５２Ｌに係止する。第１操作部２２は、ユーザーの押圧操作により第１係止部２１と第１被係止部５２Ｌとの係止を解除する。第１突出部３０Ｌは、ハウジング１０の第１の面１０−１から基板５０に向けて突出し、基板５０に対するハウジング１０のガタつきを抑制する。第１突出部３０Ｌは、基板５０に対してハウジング１０が嵌合するために移動する第１方向Ｄ１において、第１係止部２１よりも第１操作部２２寄りに設けられている。【選択図】図６Ａ
2020155390.tif 000002
【特許請求の範囲】
【請求項１】
第１被係止部が形成されている基板に取り付けられるコネクタであって、
前記基板に嵌合するハウジングと、
前記ハウジングの第１の面又はその面上に設けられ、前記第１被係止部に係止する第１係止部と、
ユーザーの押圧操作により当該係止を解除する第１操作部と、
前記ハウジングの前記第１の面から前記基板に向けて突出し、前記基板に対する前記ハウジングのガタつきを抑制するための第１突出部と、
を備え、
前記第１突出部は、前記基板に対して前記ハウジングが嵌合するために移動する第１方向において、前記第１係止部よりも前記第１操作部寄りに設けられている、コネクタ。
【請求項２】
前記ハウジングは、端子を収容する端子収容室が形成されているハウジング本体を有し、
前記第１突出部は、前記ハウジング本体から突出する、請求項１に記載のコネクタ。
【請求項３】
前記ハウジングは、
端子を収容する端子収容室が形成されているハウジング本体と、
前記ハウジング本体に取り付けられて、前記端子収容室に収容された前記端子を前記ハウジング本体に固定するリテーナと、を有し、
前記第１突出部は、前記リテーナから突出する、請求項１に記載のコネクタ。
【請求項４】
前記リテーナは、前記ハウジング本体にヒンジを介して接続されている、請求項３に記載のコネクタ。
【請求項５】
前記リテーナは、前記ハウジング本体とは別体に構成されている、請求項３に記載のコネクタ。
【請求項６】
前記リテーナは、前記ハウジング本体に対して前記第１方向に直交する方向から取り付けられるように構成されている、請求項５に記載のコネクタ。
【請求項７】
前記リテーナは、前記ハウジング本体に対して前記第１方向と同じ方向から取り付けられるように構成されている、請求項５に記載のコネクタ。
【請求項８】
前記第１突出部が突出する方向は、前記第１方向と直交する第２方向である、請求項１から７のいずれか一項に記載のコネクタ。
【請求項９】
前記第１被係止部及び前記第１操作部を有し、前記ハウジングの前記第１の面から延設され、前記第１操作部の押圧操作に伴って撓み可能に構成されている第１ロックアームを更に備え、
前記第１ロックアームには、前記第１方向に沿って設けられている第１溝が形成され、
前記第１溝には、前記基板に対して前記ハウジングが嵌合する際の前記ハウジングの移動を案内する第１ガイド面が形成されている、請求項１から８のいずれか一項に記載のコネクタ。
【請求項１０】
第１被係止部が形成されている基板に取り付けられるコネクタであって、
前記基板に嵌合するハウジングと、
前記第１被係止部に係止する第１係止部と、ユーザーが押圧操作をするための第１操作部と、を有し、前記ハウジングの第１の面から延設され、前記第１操作部の押圧操作に伴って撓み可能に構成されている第１ロックアームと、
を備え、
前記第１ロックアームには、前記基板に対して前記ハウジングが嵌合するために移動する第１方向に沿って設けられている第１溝が形成され、
前記第１溝には、前記基板に対して前記ハウジングが嵌合する際の前記ハウジングの移動を案内する第１ガイド面が形成されている、コネクタ。
【請求項１１】
前記第１溝には、前記ハウジングが前記基板に取り付けられた場合に、前記基板の表側の面に対向する第１対向面と、前記基板の裏側の面に対向する第２対向面と、が形成されている、請求項９又は１０に記載のコネクタ。
【請求項１２】
前記ハウジングの第２の面又はその面上に設けられた第２係止部と、
押圧操作をするための第２操作部と、
前記ハウジングの前記第２の面から前記基板に向けて突出すると共に、前記基板に対する前記ハウジングのガタつきを抑制するための第２突出部と、
を備え、
前記基板には、前記第２係止部が係止する第２被係止部が形成され、
前記第２突出部は、前記第１方向において、前記第２係止部よりも前記第２操作部寄りに設けられている、請求項１から１１のいずれか一項に記載のコネクタ。
【請求項１３】
前記第２被係止部及び前記第２操作部を有し、前記ハウジングの前記第２の面から延設され、前記第２操作部の押圧操作に伴って撓み可能に構成されている第２ロックアームを更に備えている、請求項１２に記載のコネクタ。
【請求項１４】
第２係止部と、押圧操作をするための第２操作部と、を有し、前記ハウジングの第２の面から延設され、前記第２操作部の押圧操作に伴って撓み可能に構成されている第２ロックアームを備え、
前記基板には、前記第２係止部が係止する第２被係止部が形成され、
前記第２ロックアームには、前記第１方向に沿って設けられている第２溝が形成され、
前記第２溝には、前記基板に対して前記ハウジングが嵌合する際の前記ハウジングの移動を案内する第２ガイド面が形成されている、請求項１から１１のいずれか一項に記載のコネクタ。
【請求項１５】
前記第１係止部と前記第２係止部とは、前記第１方向に対して対称に形成されている、請求項１２から１４のいずれか一項に記載のコネクタ。
【請求項１６】
前記ハウジングの第２の面には、前記第１方向に沿って設けられている第３溝が形成され、
前記第３溝には、前記基板に対して前記ハウジングが嵌合する際の前記ハウジングの移動を案内する第３ガイド面が形成されている、請求項１から１１のいずれか一項に記載のコネクタ。
【発明の詳細な説明】
【技術分野】
【０００１】
本発明は、コネクタに関する。
【背景技術】
【０００２】
特許文献１には、プリント配線基板のコネクタ嵌着部に嵌着されるカードエッジコネクタが開示されている。このカードエッジコネクタは、コネクタ嵌着部の表面に設けられた電極に接触する端子と、コネクタ嵌着部における電極の両側に設けられた係合部に係合する係止体とを備える。
【先行技術文献】
【特許文献】
【０００３】
【特許文献１】実開平０１−０４８８８１号公報
【発明の概要】
【発明が解決しようとする課題】
【０００４】
特許文献１に記載のカードエッジコネクタにおいては、コネクタ嵌着部にカードエッジコネクタを嵌着した状態において、コネクタ嵌着部とのガタつきを抑制する構造を備えていない。それゆえ、カードエッジコネクタが取り付けられている対象物に振動が生じると、プリント配線基板に対するカードエッジコネクタにガタつきが生じるおそれがある。そして、このガタつきに起因して、コネクタ嵌着部の電極とカードエッジコネクタの端子との間に微摺動摩耗が生じ、電気的性能が低下するという課題がある。
【０００５】
本発明は、上述の事情の下になされたもので、電気的性能の低下を抑制することができるコネクタを提供することを目的とする。
【課題を解決するための手段】
【０００６】
上述の目的を達成するために、本発明の第１の観点に係るコネクタは、
第１被係止部が形成されている基板に取り付けられるコネクタであって、
前記基板に嵌合するハウジングと、
前記ハウジングの第１の面又はその面上に設けられ、前記第１被係止部に係止する第１係止部と、
ユーザーの押圧操作により当該係止を解除する第１操作部と、
前記ハウジングの前記第１の面から前記基板に向けて突出し、前記基板に対する前記ハウジングのガタつきを抑制するための第１突出部と、
を備え、
前記第１突出部は、前記基板に対して前記ハウジングが嵌合するために移動する第１方向において、前記第１係止部よりも前記第１操作部寄りに設けられている。
【０００７】
前記ハウジングは、端子を収容する端子収容室が形成されているハウジング本体を有し、
前記第１突出部は、前記ハウジング本体から突出していてもよい。
【０００８】
前記ハウジングは、
端子を収容する端子収容室が形成されているハウジング本体と、
前記ハウジング本体に取り付けられて、前記端子収容室に収容された前記端子を前記ハウジング本体に固定するリテーナと、を有し、
前記第１突出部は、前記リテーナから突出していてもよい。
【０００９】
前記リテーナは、前記ハウジング本体にヒンジを介して接続されていてもよい。
【００１０】
前記リテーナは、前記ハウジング本体とは別体に構成されていてもよい。
【００１１】
前記リテーナは、前記ハウジング本体に対して前記第１方向に直交する方向から取り付けられるように構成されていてもよい。
【００１２】
前記リテーナは、前記ハウジング本体に対して前記第１方向と同じ方向から取り付けられるように構成されていてもよい。
【００１３】
前記第１突出部が突出する方向は、前記第１方向と直交する第２方向であってもよい。
【００１４】
前記第１被係止部及び前記第１操作部を有し、前記ハウジングの前記第１の面から延設され、前記第１操作部の押圧操作に伴って撓み可能に構成されている第１ロックアームを更に備え、
前記第１ロックアームには、前記第１方向に沿って設けられている第１溝が形成され、
前記第１溝には、前記基板に対して前記ハウジングが嵌合する際の前記ハウジングの移動を案内する第１ガイド面が形成されていてもよい。
【００１５】
本発明の第２の観点に係るコネクタは、
第１被係止部が形成されている基板に取り付けられるコネクタであって、
前記基板に嵌合するハウジングと、
前記第１被係止部に係止する第１係止部と、ユーザーが押圧操作をするための第１操作部と、を有し、前記ハウジングの第１の面から延設され、前記第１操作部の押圧操作に伴って撓み可能に構成されている第１ロックアームと、
を備え、
前記第１ロックアームには、前記基板に対して前記ハウジングが嵌合するために移動する第１方向に沿って設けられている第１溝が形成され、
前記第１溝には、前記基板に対して前記ハウジングが嵌合する際の前記ハウジングの移動を案内する第１ガイド面が形成されている。
【００１６】
前記第１溝には、前記ハウジングが前記基板に取り付けられた場合に、前記基板の表側の面に対向する第１対向面と、前記基板の裏側の面に対向する第２対向面と、が形成されていてもよい。
【００１７】
前記ハウジングの第２の面又はその面上に設けられた第２係止部と、
押圧操作をするための第２操作部と、
前記ハウジングの前記第２の面から前記基板に向けて突出すると共に、前記基板に対する前記ハウジングのガタつきを抑制するための第２突出部と、
を備え、
前記基板には、前記第２係止部が係止する第２被係止部が形成され、
前記第２突出部は、前記第１方向において、前記第２係止部よりも前記第２操作部寄りに設けられていてもよい。
【００１８】
前記第２被係止部及び前記第２操作部を有し、前記ハウジングの前記第２の面から延設され、前記第２操作部の押圧操作に伴って撓み可能に構成されている第２ロックアームを更に備えていてもよい。
【００１９】
第２係止部と、押圧操作をするための第２操作部と、を有し、前記ハウジングの第２の面から延設され、前記第２操作部の押圧操作に伴って撓み可能に構成されている第２ロックアームを備え、
前記基板には、前記第２係止部が係止する第２被係止部が形成され、
前記第２ロックアームには、前記第１方向に沿って設けられている第２溝が形成され、
前記第２溝には、前記基板に対して前記ハウジングが嵌合する際の前記ハウジングの移動を案内する第２ガイド面が形成されていてもよい。
【００２０】
前記第１係止部と前記第２係止部とは、前記第１方向に対して対称に形成されていてもよい。
【００２１】
前記ハウジングの第２の面には、前記第１方向に沿って設けられている第３溝が形成され、
前記第３溝には、前記基板に対して前記ハウジングが嵌合する際の前記ハウジングの移動を案内する第３ガイド面が形成されていてもよい。
【発明の効果】
【００２２】
本発明においては、基板に対するコネクタにガタつきが生じることを抑制することができる。結果として、ガタつきに起因したコネクタの電気的性能の低下を抑制することができる。
【図面の簡単な説明】
【００２３】
【図１】本発明の実施の形態１に係るコネクタの斜視図（その１）である。
【図２】コネクタの斜視図（その２）である。
【図３】基板に取り付ける前のコネクタの斜視図である。
【図４】コネクタの正面図である。
【図５】図４のＶ−Ｖ断面図である。
【図６Ａ】基板に取り付ける前のコネクタの断面図である。
【図６Ｂ】基板に取り付けている途中のコネクタの断面図である。
【図６Ｃ】（Ａ）は、第１ロックアームの斜視図である。（Ｂ）は、第２ロックアームの斜視図である。
【図７】（Ａ）は、コネクタを下面側から視た斜視図である。（Ｂ）は、リテーナをハウジング本体に取り付ける前のコネクタを下面側から視た斜視図である。
【図８】（Ａ）は、コネクタを側面側から視た斜視図（その１）である。（Ｂ）は、コネクタを側面側から視た斜視図（その２）である。
【図９】（Ａ）は、図５のＡ−Ａ断面図である。（Ｂ）は、図５のＢ−Ｂ断面図である。
【図１０】比較例に係るコネクタの断面図である。
【図１１】コネクタの効果を説明するための斜視図である。
【図１２】（Ａ）は、実施の形態２に係るコネクタを下面側から視た場合の斜視図である。（Ｂ）は、リテーナをハウジング本体に取り付ける前の実施の形態２に係るコネクタを下面側から視た場合の斜視図である。
【図１３】（Ａ）は、実施の形態２に係るコネクタの断面図である。（Ｂ）は、実施の形態２に係るリテーナの断面図である。
【図１４】実施の形態３に係るコネクタの斜視図である。
【図１５】実施の形態３に係るコネクタの断面図である。
【図１６】基板に取り付ける前の実施の形態４に係るコネクタの斜視図である。
【図１７】実施の形態４に係るコネクタの平面図である。
【図１８】（Ａ）は、図１７のＣ−Ｃ断面図である。（Ｂ）は、図１７のＤ−Ｄ断面図である。
【図１９】（Ａ）は、実施の形態５に係るコネクタを下面側から視た場合の斜視図である。（Ｂ）は、リテーナをハウジング本体に取り付ける前の実施の形態５に係るコネクタを下面側から視た場合の斜視図である。
【図２０】基板に取り付ける前の実施の形態５に係るコネクタの平面図である。
【図２１】図２０のＥ−Ｅ断面図である。
【発明を実施するための形態】
【００２４】
実施の形態１．
以下、本発明の実施の形態１に係るコネクタ１について、図を参照して説明する。なお、理解を容易にするために、相互に直交するＸＹＺ座標を設定し、適宜参照する。ＸＹＺ座標のＹ軸方向は、図１及び図２に示すように、基板５０に対して、コネクタ１のハウジング１０が嵌合するために移動する第１方向Ｄ１と同一の方向である。Ｚ軸方向は、基板５０の厚み方向と同一の方向である。Ｘ軸方向は、Ｙ軸方向及びＺ軸方向の双方向に直交する方向である。
【００２５】
基板５０は、図３に示すように、コネクタ１の取付対象である。基板５０は、電極部分５１が露出する＋Ｚ側の表側の面５０ａと、電極部分５１が設けられていない裏側の面５０ｂとを有するプリント基板である。この基板５０には、切欠き状のコネクタ嵌合部５２が形成されている。コネクタ嵌合部５２には、第１被係止部５２Ｌと、第２被係止部５２Ｒと、嵌合用突出部５３と、逆挿入防止溝５４とが形成されている。嵌合用突出部５３は、先端近傍に電極部分５１が形成され、切欠き状のコネクタ嵌合部５２内に＋Ｙ方向に突出して形成されている。嵌合用突出部５３とコネクタ嵌合部５２の内面との間には、嵌合用溝５３Ｌ、５３Ｒが形成されている。嵌合用溝５３Ｌ、５３Ｒは、第１方向Ｄ１に沿って延びると共に、互いに平行に延びる溝である。また、逆挿入防止溝５４は、第１方向Ｄ１に沿って延びる溝である。この逆挿入防止溝５４は、嵌合用突出部５３において、Ｘ軸方向における中央部分よりもやや＋Ｘ側寄りに設けられている。なお、基板５０は、プリント基板に限定されるものではなく、他の種類の基板であってもよい。また、電極部分５１は、基板５０の表側の面５０ａ及び裏側の面５０ｂの両面に設けられていてもよい。
【００２６】
コネクタ１は、図４〜６Ａに示すように、基板５０に取り付けられるカードエッジコネクタである。コネクタ１は、自動車部品に装備される電子回路部品として用いられる。コネクタ１は、ハウジング１０と、第１ロックアーム２０Ｌと、第２ロックアーム２０Ｒと、第１突出部３０Ｌと、第２突出部３０Ｒと、複数の端子４０とを備える。
【００２７】
ハウジング１０は、基板５０のコネクタ嵌合部５２に嵌合する部材である。ハウジング１０は、−Ｘ側の側面である第１の面１０−１と、＋Ｘ側の側面である第２の面１０−２とを有する略箱状の形状に形成されている。この略箱状のハウジング１０には、基板５０の嵌合用突出部５３が挿入される嵌合穴１０ａが形成されている。ハウジング１０は、図７に示すように、ハウジング本体１１とリテーナ１２とを有する。
【００２８】
ハウジング本体１１には、図５及び図６Ａに示すように、端子４０を収容する端子収容室１１ａと、嵌合用壁部１１ｂと、逆挿入防止壁部１１ｃとが形成されている。このハウジング本体１１は、樹脂等の絶縁性の素材より形成されている。
【００２９】
嵌合用壁部１１ｂは、嵌合穴１０ａを形成する−Ｘ側及び＋Ｘ側の側壁である。嵌合用壁部１１ｂのそれぞれの外側の側面は、ハウジング１０の第１の面１０−１及び第２の面１０−２として構成されている。嵌合用壁部１１ｂは、第１方向Ｄ１に沿って延設されている。これにより、嵌合用壁部１１ｂは、ハウジング１０が基板５０に取り付けられた場合に、基板５０の嵌合用溝５３Ｌ、５３Ｒに嵌るように形成されている。
【００３０】
逆挿入防止壁部１１ｃは、嵌合穴１０ａの内部に設けられているＹＺ平面に平行な壁部であり、嵌合穴１０ａを２つの空間に隔てる隔壁として構成されている。逆挿入防止壁部１１ｃは、第１方向Ｄ１に沿って延設されており、ハウジング１０が基板５０に取り付けられた場合に、基板５０のコネクタ嵌合部５２に形成されている逆挿入防止溝５４に嵌るように形成されている。この逆挿入防止壁部１１ｃは、嵌合穴１０ａの内部において、Ｘ軸方向における中央部分よりもやや＋Ｘ寄りに設けられている。これにより、逆挿入防止壁部１１ｃは、コネクタのユーザーがコネクタ１を基板５０に取り付ける際に、コネクタ１の上下方向を逆にして取り付けてしまうことを防止する。
【００３１】
リテーナ１２は、図７に示すように、端子収容室１１ａに収容された端子４０をハウジング本体１１に固定するために用いられる。リテーナ１２は、端子収容室１１ａの開口を塞ぐ基部１２ａと、基部１２ａから＋Ｚ方向に突出する複数の突出部１２ｂとを有する。基部１２ａは、端子収容室１１ａの開口と同程度の大きさの板状の部材である。突出部１２ｂは、リテーナ１２がハウジング本体１１に取り付けられた場合に、端子収容室１１ａ内まで突出し、端子収容室１１ａに収容された端子４０をその先端で押さえることで、端子４０をハウジング本体１１に固定する。実施の形態１においては、リテーナ１２は、ハウジング本体１１とは別体に構成されている。リテーナ１２は、樹脂等の絶縁性の素材より形成されている。本実施の形態１においては、リテーナ１２は、ハウジング本体１１に対して第１方向Ｄ１に直交する方向である−Ｚ方向から取り付けられるように構成されている。これにより、リテーナ１２は、ハウジング本体１１の−Ｚ側の下面１１ｄに取り付けられる。
【００３２】
第１ロックアーム２０Ｌは、図５及び図６Ａに示すように、ハウジング本体１１の−Ｙ側（第１方向Ｄ１における先端側）の端部、詳しくは、嵌合用壁部１１ｂの−Ｙ側の端部から、＋Ｙ方向に延設されている。第１ロックアーム２０Ｌは、第１被係止部５２Ｌに係止する第１係止部２１と、コネクタ１のユーザーが押圧操作をするための第１操作部２２と、を有する。この第１ロックアーム２０Ｌは、ハウジング１０の−Ｘ側の側面である第１の面１０−１から延設されている。この第１ロックアーム２０Ｌは、図６Ｂに示すように、ユーザーの押圧操作に伴って、＋Ｘ側に撓み可能に構成されている。
【００３３】
第１係止部２１は、Ｘ軸の負方向に向けて突出する突出片であり、第１ロックアーム２０ＬのＹ軸方向における中央部分近傍に設けられている。これにより、第１係止部２１は、ハウジング１０の第１の面１０−１の面上に設けられる。なお、本実施の形態１では、第１係止部２１は、第１ロックアーム２０Ｌに設けられているが、これに限られず、第１ロックアーム２０Ｌに設けられていなくてもよい。例えば、第１係止部２１は、ハウジング１０の第１の面１０−１の面上ではなく、第１の面１０−１に直接設けられていてもよい。
【００３４】
第１操作部２２は、図５及び図６Ａに示すようにユーザーが押圧操作することにより、第１係止部２１と、基板５０の第１被係止部５２Ｌとの係止を解除するために使用される。第１操作部２２は、第１ロックアーム２０Ｌの先端側（＋Ｙ側）の端部に設けられている。
【００３５】
また、第１ロックアーム２０Ｌには、図６Ｃ（Ａ）に示すように、第１方向Ｄ１に沿って設けられている第１溝２３が形成されている。第１ロックアーム２０Ｌは、この第１溝２３により、実質的に、２本のアーム本体２０Ｌ−１及び２０Ｌ−２に分割されている。２本のアーム本体２０Ｌ−１及び２０Ｌ−２のＹ軸方向における中央部分近傍は、第１係止部２１によって連結されている。また、２本のアーム本体２０Ｌ−１及び２０Ｌ−２の先端（＋Ｙ側の先端）同士は、第１操作部２２によって連結されている。この第１溝２３には、図８（Ａ）に示すように、第１対向面２３ａと、第２対向面２３ｂと、第１ガイド面２３ｃとが形成されている。
【００３６】
第１対向面２３ａは、図９に示すように、ハウジング１０が基板５０に取り付けられた場合に、基板５０の表側の面５０ａに対向する。第２対向面２３ｂは、ハウジング１０が基板５０に取り付けられた場合に、基板５０の裏側の面５０ｂに対向する。また、第２対向面２３ｂは、ハウジング１０が基板５０に取り付けられていない場合には、第１対向面２３ａに対向する。第１対向面２３ａ及び第２対向面２３ｂは、ＸＹ平面に平行な平面に形成されている。
【００３７】
第１ガイド面２３ｃは、基板５０に対してハウジング１０が嵌合する際のハウジング１０の−Ｙ方向の移動を案内する。第１ガイド面２３ｃは、ＹＺ平面に平行な平面に形成されている。図６Ｃ（Ａ）に示すように、第１ガイド面２３ｃには、Ｘ軸方向に貫通する貫通溝２３ｄが形成されている。この貫通溝２３ｄにより、第１溝２３は、第１ロックアーム２０Ｌの内側の空間Ｓ１に通じている。
【００３８】
第２ロックアーム２０Ｒは、図５及び図６Ａに示すように、ハウジング本体１１の−Ｙ側の端部、詳しくは、嵌合用壁部１１ｂの−Ｙ側の端部から、＋Ｙ方向に延設されている。第２ロックアーム２０Ｒは、第２被係止部５２Ｒに係止する第２係止部２４と、コネクタ１のユーザーが押圧操作をするための第２操作部２５と、を有する。この第２ロックアーム２０Ｒは、ハウジング１０の＋Ｘ側の側面である第２の面１０−２から延設されている。この第２ロックアーム２０Ｒは、図６Ｂに示すように、ユーザーの押圧操作に伴って、−Ｘ側に撓み可能に構成されている。
【００３９】
第２係止部２４は、Ｘ軸の正方向に向けて突出する突出片であり、第２ロックアーム２０ＲのＹ軸方向における中央部分近傍に設けられている。これにより、第２係止部２４は、ハウジング１０の第２の面１０−２の面上に設けられる。なお、本実施の形態１では、第２係止部２４は、第２ロックアーム２０Ｒに設けられているが、これに限られず、第２ロックアーム２０Ｒに設けられていなくてもよい。例えば、第２係止部２４は、ハウジング１０の第２の面１０−２の面上ではなく、第２の面１０−２に直接設けられていてもよい。
【００４０】
第２操作部２５は、図５及び図６Ａに示すようにユーザーが押圧操作することにより、第２係止部２４と、基板５０の第２被係止部５２Ｒとの係止を解除するために使用される。第２操作部２５は、第２ロックアーム２０Ｒの先端側（＋Ｙ側）の端部に設けられている。なお、この第２操作部２５及び第１操作部２２は、ユーザーの押圧操作によって、互いに狭くなるように変位する。
【００４１】
また、第２ロックアーム２０Ｒには、図６Ｃ（Ｂ）に示すように、第１方向Ｄ１に沿って設けられている第２溝２６が形成されている。第２ロックアーム２０Ｒは、この第２溝２６により、実質的に、２本のアーム本体２０Ｒ−１及び２０Ｒ−２に分割されている。２本のアーム本体２０Ｒ−１及び２０Ｒ−２のＹ軸方向における中央部分近傍は、第２係止部２４によって連結されている。また、２本のアーム本体２０Ｒ−１及び２０Ｒ−２の先端（＋Ｙ側の先端）同士は、第２操作部２５によって連結されている。この第２溝２６には、図８（Ｂ）に示すように、第３対向面２６ａと、第４対向面２６ｂと、第２ガイド面２６ｃとが形成されている。
【００４２】
第３対向面２６ａは、図９に示すように、ハウジング１０が基板５０に取り付けられた場合に、基板５０の表側の面５０ａに対向する。第４対向面２６ｂは、ハウジング１０が基板５０に取り付けられた場合に、基板５０の裏側の面５０ｂに対向する。また、第４対向面２６ｂは、ハウジング１０が基板５０に取り付けられていない場合には、第３対向面２６ａに対向する。第３対向面２６ａ及び第４対向面２６ｂは、ＸＹ平面に平行な平面に形成されている。
【００４３】
第２ガイド面２６ｃは、基板５０に対してハウジング１０が嵌合する際のハウジング１０の−Ｙ方向の移動を案内する。第２ガイド面２６ｃは、ＹＺ平面に平行な平面に形成されている。図６Ｃ（Ｂ）に示すように、第２ガイド面２６ｃには、Ｘ軸方向に貫通する貫通溝２６ｄが形成されている。この貫通溝２６ｄにより、第２溝２６は、第２ロックアーム２０Ｒの内側の空間Ｓ２に通じている。
【００４４】
第１ロックアーム２０Ｌと第２ロックアーム２０Ｒとは、第１方向Ｄ１（Ｙ軸方向）に対して対称に形成されている。同様に、第１係止部２１と第２係止部２４とは、第１方向Ｄ１（Ｙ軸方向）に対して対称に形成されている。また、第１操作部２２と第２操作部２５とは、第１方向Ｄ１（Ｙ軸方向）に対して対称に形成されている。
【００４５】
第１突出部３０Ｌは、図５、６Ａ〜６Ｃ、８（Ａ）に示すように、基板５０に対するハウジング１０のガタつきを抑制するための部位である。第１突出部３０Ｌは、ハウジング１０の第１の面１０−１から基板５０のコネクタ嵌合部５２の切欠き内面に向けて突出する（Ｘ軸の負方向に向けて突出する）。この第１突出部３０Ｌは、第１方向Ｄ１（Ｙ軸方向）において、第１係止部２１よりも第１操作部２２寄り（＋Ｙ側寄り）の位置に設けられている。また、第１突出部３０Ｌが突出する方向は、図６Ａに示すように、第１方向Ｄ１と直交する第２方向Ｄ２（−Ｘ方向）である。
【００４６】
第２突出部３０Ｒは、図５、６Ａ〜６Ｃ、８（Ｂ）に示すように、第１突出部３０Ｌと共に、基板５０に対するハウジング１０のガタつきを抑制するための部位である。第２突出部３０Ｒは、ハウジング１０の第２の面１０−２から基板５０のコネクタ嵌合部５２の切欠き内面に向けて突出する（Ｘ軸の正方向に向けて突出する）。この第２突出部３０Ｒは、第１方向Ｄ１（Ｙ軸方向）において、第２係止部２４よりも第２操作部２５寄り（＋Ｙ側寄り）の位置に設けられている。また、第２突出部３０Ｒが突出する方向は、図６Ａに示すように、第１方向Ｄ１と直交する第３方向Ｄ３（＋Ｘ方向）である。なお、第２突出部３０Ｒが突出する第３方向Ｄ３は、第１突出部３０Ｌが突出する第２方向Ｄ２と反対の方向である。
【００４７】
なお、本実施の形態１においては、第１突出部３０Ｌ及び第２突出部３０Ｒは、図９に示すように、ハウジング本体１１に一体的に形成されていると共に、ハウジング本体１１からそれぞれ突出する。
【００４８】
端子４０は、銅、銅合金等からなる弾性と導電性とを有する一枚の板材から形成されている。この端子４０は、例えば、本体部と、アーチ状弾性板と、圧着部とを有するメス端子である。端子４０の本体部は、端子４０の接続対象であるオス端子が挿入される挿入用開口部が形成されている筒状の部位である。アーチ状弾性板は、本体部の内部に配置され、オス端子との接点を有する。圧着部は、本体部から延びている部分であり、導体かしめ部と被覆固定部とを有する。圧着部の導体かしめ部は、かしめにより、ケーブル４１の芯線に圧着され、電気的に接続される。圧着部の被覆固定部は、かしめにより、ケーブル４１の絶縁性の被覆部の端部を押さえて、引抜き力から導体かしめ部と芯線との接続を保護する。端子４０は、ハウジング１０が基板５０に取り付けられた場合に、基板５０の電極部分５１に電気的に接続される。この端子４０からは、図１、２に示すように、ケーブル４１がハウジング１０の外部に引き出されている。
【００４９】
以上、説明したように、本実施の形態１においては、図５に示すように、基板５０に対するハウジング１０のガタつきを抑制するための第１突出部３０Ｌ及び第２突出部３０Ｒが、ハウジング１０の第１の面１０−１及び第２の面１０−２から基板５０のコネクタ嵌合部５２の内面に向けて突出している。このため、基板５０に対してコネクタ１にガタつきが生じても、第１突出部３０Ｌの先端が基板５０のコネクタ嵌合部５２の内面に接触すると共に、第２突出部３０Ｒの先端がコネクタ嵌合部５２の内面に接触することにより、ガタつきを抑制することができる。結果として、このガタつきに起因したコネクタ１の電気的性能の低下を抑制することができる。
【００５０】
例えば、第１突出部３０Ｌ及び第２突出部３０Ｒを備えない比較例に係るコネクタ１Ａにおいては、図１０に示すように、ハウジング１０の第１の面１０−１と、コネクタ嵌合部５２の内面との間には、第１係止部２１が撓むためのクリアランスＣ１が形成される。同様に、ハウジング１０の第２の面１０−２と、コネクタ嵌合部５２の内面との間には、第２係止部２４が撓むためのクリアランスＣ２が形成される。そして、コネクタ１Ａ等の適用対象（例えば、自動車など）に振動が生じた場合、クリアランスＣ１、Ｃ２が形成されていることにより、基板５０に対してコネクタ１ＡにガタつきＲ１が生じやすくなる。そして、このガタつきＲ１に起因して、基板５０の電極とコネクタ１Ａの端子との間で微摺動摩耗が生じ、電気的性能が低下するおそれがある。
【００５１】
しかしながら、本実施の形態１においては、図５に示すように、コネクタ１と基板５０とにガタつきが生じても、第１突出部３０Ｌ及び第２突出部３０Ｒの先端が、基板５０のコネクタ嵌合部５２の内面に接触する。これにより、ガタつきを抑制することができる。結果として、ガタつきに起因したコネクタ１の電気的性能の低下を抑制することができる。
【００５２】
また、本実施の形態１においては、第１突出部３０Ｌは、第１方向Ｄ１において、第１係止部２１よりも第１操作部２２寄りの位置に設けられていると共に、第２突出部３０Ｒは、第１方向Ｄ１において、第２係止部２４よりも第２操作部２５寄りの位置に設けられている。このため、ガタつきの抑制効果をより向上させることができる。結果として、このガタつきに起因したコネクタ１の電気的性能の低下を抑制することができる。
【００５３】
また、本実施の形態１においては、図９に示すように、第１ロックアーム２０Ｌには第１溝２３が形成されていると共に、第２ロックアーム２０Ｒには第２溝２６が形成されている。このため、基板５０に対してハウジング１０を嵌合する際のハウジング１０の移動を円滑にすることができる。
【００５４】
また、本実施の形態１においては、図９（Ｂ）に示すように、第１溝２３には、第１ガイド面２３ｃが形成されていると共に、第２溝２６には、第２ガイド面２６ｃが形成されている。このため、基板５０に対するコネクタ１にガタつきが生じても、第１ガイド面２３ｃ及び第２ガイド面２６ｃが基板５０のコネクタ嵌合部５２の内面に接触する。これにより、ガタつきを抑制することができる。結果として、このガタつきに起因したコネクタ１の電気的性能の低下を抑制することができる。
【００５５】
また、本実施の形態１においては、図９に示すように、第１溝２３には、第１対向面２３ａと第２対向面２３ｂとが形成されていると共に、第２溝２６には、第３対向面２６ａと第４対向面２６ｂとが形成されている。このため、コネクタ１と基板５０とにガタつきが生じても、第１対向面２３ａ及び第３対向面２６ａが、基板５０の表側の面５０ａに接触すると共に、第２対向面２３ｂ及び第４対向面２６ｂが、基板５０の裏側の面５０ｂに接触する。これにより、図１１に示す基板５０の厚み方向（Ｚ軸方向）に沿ったガタつきＲ２を抑制することができる。結果として、本実施の形態１においては、基板５０の表側の面５０ａに平行な方向に沿ったバラつきと、厚み方向に沿ったガタつきＲ２との双方のバラつきを抑制することができる。これにより、コネクタ１の電気的性能の低下を抑制することができる。
【００５６】
実施の形態２．
本発明の実施の形態１に係るコネクタ１では、図５に示すように、第１突出部３０Ｌ及び第２突出部３０Ｒは、ハウジング本体１１からそれぞれ突出している。しかしながら、これに限られない。図１２及び図１３に示す実施の形態２に係るコネクタ２のように、第１突出部３０Ｌ及び第２突出部３０Ｒは、リテーナ１２からそれぞれ、Ｘ軸の負方向及びＸ軸の正方向に突出していてもよい。コネクタ２は、第１突出部３０Ｌ及び第２突出部３０Ｒがリテーナ１２から突出している点以外は、コネクタ１と同等の構造を有する。このため、このコネクタ２においても、コネクタ１と同等の効果を奏することができる。
【００５７】
実施の形態３．
図１４は、実施の形態３に係るコネクタ３の斜視図である。図１５は、実施の形態３に係るコネクタ３の断面図である。本発明の実施の形態１、２に係るコネクタ１、２は、図１に示すように、２本のロックアーム（第１ロックアーム２０Ｌ、第２ロックアーム２０Ｒ）を備えている。しかしながら、これに限られない。図１４、１５に示すコネクタ３のように、１本のロックアーム（第１ロックアーム２０Ｌ）のみを備えていてもよい。この場合、ハウジング１０の第２の面１０−２に、第２ロックアーム２０Ｒが形成されておらず、第２の面１０−２は平坦な面から構成されている。この第２の面１０−２は、基板５０に対してハウジング１０が嵌合する際のハウジング１０の−Ｙ方向の移動を案内するガイド面として機能する。このため、このコネクタ３においても、コネクタ１、２と同等の効果を奏することができる。
【００５８】
また、本発明の実施の形態１に係るコネクタ１は、図５に示すように、２つの突出部（第１突出部３０Ｌ、第２突出部３０Ｒ）を備えている。しかしながら、これに限られず、図１５に示すコネクタ３のように、１つの突出部（第１突出部３０Ｌ）のみを備えていてもよい。
【００５９】
実施の形態４．
本発明の実施の形態３に係るコネクタ３では、図１４及び図１５に示すように、第２の面１０−２は平坦な面から構成されている。しかしながら、これに限られない。図１６及び図１７に示す実施の形態４に係るコネクタ４のように、第２の面１０−２には、第１方向Ｄ１に沿って設けられている第３溝１３が形成されていてもよい。この第３溝１３には、図１８に示すように、第５対向面１３ａと、第６対向面１３ｂと、第３ガイド面１３ｃとが形成されている、
【００６０】
第５対向面１３ａは、ハウジング１０が基板５０に取り付けられた場合に、基板５０の表側の面５０ａに対向する。第６対向面１３ｂは、ハウジング１０が基板５０に取り付けられた場合に、基板５０の裏側の面５０ｂに対向すると共に、第５対向面１３ａに対向する。第５対向面１３ａ及び第６対向面１３ｂは、ＸＹ平面に平行な平面に形成されている。
【００６１】
第３ガイド面１３ｃは、基板５０に対してハウジング１０が嵌合する際のハウジング１０の−Ｙ方向の移動を案内する。第３ガイド面１３ｃは、ＹＺ平面に平行な平面に形成されている。
【００６２】
このコネクタ４においても、コネクタ３と同等の効果を奏することができる。
【００６３】
実施の形態５．
本発明の実施の形態１〜４に係るコネクタ１〜４では、図７及び図１２に示すように、リテーナ１２は、ハウジング本体１１に対して第１方向Ｄ１に直交する方向である−Ｚ方向から取り付けられるように構成されている。しかしながら、これに限られない。図１９に示す実施の形態５に係るコネクタ５のように、リテーナ１２は、ハウジング本体１１に対して第１方向Ｄ１と同じ方向である＋Ｙ方向への移動の後に取り付けられるように構成されていてもよい。
【００６４】
本実施の形態５に係るコネクタ５においては、図２０及び図２１に示すように、第１突出部３０Ｌ及び第２突出部３０Ｒは、リテーナ１２からそれぞれ、Ｘ軸の負方向及びＸ軸の正方向に突出している。
【００６５】
このコネクタ５においても、コネクタ１〜４と同等の効果を奏することができる。
【００６６】
その他の実施の形態
上記実施の形態１〜５においては、ハウジング本体１１とリテーナ１２とは別体に構成されている。しかしながら、これに限られない。ハウジング本体１１とリテーナ１２とは一体的に構成されていてもよい。例えば、リテーナ１２は、ハウジング本体１１にヒンジを介して回動可能に接続されることで、ハウジング本体１１に一体的に構成されていてもよい。
【００６７】
上記実施の形態１〜５においては、第１突出部３０Ｌ及び第２突出部３０Ｒは、ハウジング１０のハウジング本体１１及びリテーナ１２のいずれかから突出している。しかしながら、これに限られない。ハウジング１０は、ハウジング本体１１及びリテーナ１２以外の別の部材をさらに有し、第１突出部３０Ｌ及び第２突出部３０Ｒは、当該別の部材から突出していてもよい。
【００６８】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００６９】
１，１Ａ，２，３，４，５：コネクタ、１０：ハウジング、１０−１：第１の面、１０−２：第２の面、１０ａ：嵌合穴、１１：ハウジング本体、１１ａ：端子収容室、１１ｂ：嵌合用壁部、１１ｃ：逆挿入防止壁部、１１ｄ：下面、１２：リテーナ、１２ａ：基部、１２ｂ：突出部、１３：第３溝、１３ａ：第５対向面、１３ｂ：第６対向面、１３ｃ：第３ガイド面、２０Ｌ：第１ロックアーム、２０Ｌ−１，２０Ｌ−２：アーム本体、２０Ｒ：第２ロックアーム、２０Ｒ−１，２０Ｒ−２：アーム本体、２１：第１係止部、２２：第１操作部、２３：第１溝、２３ａ：第１対向面、２３ｂ：第２対向面、２３ｃ：第１ガイド面、２３ｄ：貫通溝、２４：第２係止部、２５：第２操作部、２６：第２溝、２６ａ：第３対向面、２６ｂ：第４対向面、２６ｃ：第２ガイド面、２６ｄ：貫通溝、３０Ｌ：第１突出部、３０Ｒ：第２突出部、４０：端子、４１：ケーブル、５０：基板、５０ａ：表側の面、５０ｂ：裏側の面、５１：電極部分、５２：コネクタ嵌合部、５２Ｌ：第１被係止部、５２Ｒ：第２被係止部、５３：嵌合用突出部、５３Ｌ，５３Ｒ：嵌合用溝、５４：逆挿入防止溝、Ｄ１：第１方向、Ｄ２：第２方向、Ｄ３：第３方向、Ｃ１，Ｃ２：クリアランス、Ｓ１：（第１ロックアームの内側の）空間、Ｓ２：（第２ロックアームの内側の）空間、Ｒ１，Ｒ２：ガタつき。
【図１】
2020155390.tif 000003
【図２】
2020155390.tif 000004
【図３】
2020155390.tif 000005
【図４】
2020155390.tif 000006
【図５】
2020155390.tif 000007
【図６Ａ】
2020155390.tif 000008
【図６Ｂ】
2020155390.tif 000009
【図６Ｃ】
2020155390.tif 000010
【図７】
2020155390.tif 000011
【図８】
2020155390.tif 000012
【図９】
2020155390.tif 000013
【図１０】
2020155390.tif 000014
【図１１】
2020155390.tif 000015
【図１２】
2020155390.tif 000016
【図１３】
2020155390.tif 000017
【図１４】
2020155390.tif 000018
【図１５】
2020155390.tif 000019
【図１６】
2020155390.tif 000020
【図１７】
2020155390.tif 000021
【図１８】
2020155390.tif 000022
【図１９】
2020155390.tif 000023
【図２０】
2020155390.tif 000024
【図２１】
2020155390.tif 000025